(57)【要約】【課題】  使用時に優れた安定効果を有するＧボール運動具セットを提供する。【解決手段】  所定の弾性を有するＧボールと、内径が該Ｇボールの直径より小さい位置決めリングとを有するＧボール運動具セットであって、該位置決めリングの断面形状が正六角形であると共に、該正六角形の各辺の連接箇所に滑り止めリブが設けられることを特徴とする。【選択図】  図１
0003127120.tif 000002
【実用新案登録請求の範囲】
【請求項１】
所定の弾性を有するＧボールと、内径が該Ｇボールの直径より小さい位置決めリングとを有するＧボール運動具セットであって、
該位置決めリングの断面形状が正六角形であると共に、該正六角形の各辺の連接箇所に滑り止めリブが設けられることを特徴とするＧボール運動具セット。
【請求項２】
前記位置決めリングの外側における対向する位置に一体形成に掛止リングが設けられ、該掛止リングに伸縮性を有する引張部材が設けられることを特徴とする請求項１に記載のＧボール運動具セット。
【考案の詳細な説明】
【技術分野】
【０００１】
本考案は、特に使用時に優れた安定効果を有するＧボール運動具セットに関するものである。
【背景技術】
【０００２】
現代人は、毎日の生活が忙しく、又、生活空間も狭いため、運動不足により様々な病気にかかりやすい。故に多くの現代人は運動不足の問題を解決するために、様々な運動器具を購入し、自宅での運動を心掛けている。
【０００３】
又、構造がよリ簡単な運動具は、例えば台湾実用新案登録第Ｍ２５３３８３号や図６に示すようなＧボール運動具セットである。該Ｇボール（２０）は、弾性を有する柔軟な球体であり、浮き輪のような位置決めリング（２１）と一緒に使用する物である。使用時には、該Ｇボール（２０）を地面に置き、使用者がその上で横になった状態、或いは座った状態で動くことにより、腰痛や、背骨の矯正、筋力アップ、ダイエットの効果を提供できる。
【考案の開示】
【考案が解決しようとする課題】
【０００４】
しかしながら、前記Ｇボール（２０）と位置決めリング（２１）とを一緒に使用する場合、該位置決めリング（２１）は浮き輪のような構造、即ち図６に示すように、該位置決めリング（２１）の断面構造は円形であることから、地面との接触状態が、不安定な点接触であるので、使用者が該Ｇボール（２０）を使用する時、位置決めリング（２１）を所定の箇所に位置決めすることができない。このことから、該Ｇボール（２０）と位置決めリング（２１）の滑りにより、使用者が捻挫又は筋肉傷害などの運動傷害に遭ってしまう恐れがあった。
【０００５】
尚、図７に示すように、従来の位置決めリング（２１）に引張部材（１３）を設置する構造を有しないため、使用者は該引張部材（１３）のロープを位置決めリング（２１）に巻き回す必要があるので非常に不便であり、又、運動時、該引張部材（１３）が位置決めリング（２１）に対して摺動するので、安定性が優れない。
【０００６】
そこで、案出されたのが本考案であって、使用時に優れた安定効果を有するＧボール運動具セットを提供することを目的としている。
【課題を解決するための手段】
【０００７】
本願の請求項１の考案は、所定の弾性を有するＧボールと、内径が該Ｇボールの直径より小さい位置決めリングとを有するＧボール運動具セットであって、
該位置決めリングの断面形状は正六角形であると共に、該正六角形の各辺の連接箇所に滑り止めリブが設けられることを特徴とするＧボール運動具セット、を提供する。
【０００８】
本願の請求項２の考案は、前記位置決めリングの外側における対向する位置に一体形成に掛止リングが設けられ、該掛止リングに伸縮性を有する引張部材が設けられることを特徴とする請求項１に記載のＧボール運動具セット、を提供する。
【考案の効果】
【０００９】
本考案は上記の課題を解決するものであり、断面形状が正六角形である位置決めリングを有することにより、該位置決めリングと地面の接触状態は面接触となるので、該位置決めリングに置き込むＧボールを使用する際、優れた安定効果を得ることができる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係るＧボール運動具セットの分解斜視図であり、図２は本考案に係るＧボール運動具セットの斜視図であり、図３は本考案に係るＧボール運動具セットの断面図であり、図４は本考案に係るＧボール運動具セットの使用状態を示す斜視図であり、図５は本考案に係るＧボール運動具セットの他の使用状態を示す斜視図である。
【００１２】
図１乃至図３に示すように、本考案に係るＧボール運動具セットは、所定の弾性を有するＧボール（１０）と、内径が該Ｇボール（１０）の直径より小さい位置決めリング（１１）とを有し、該位置決めリング（１１）の断面形状は正六角形であると共に、該正六角形の各辺の連接箇所に滑り止めリブ（１４）が設けられる。
【００１３】
前記位置決めリング（１１）は、軟性のプラスチック材からなると共に、内部に空気を注入できる中空な環状体であり、該位置決めリング（１１）に気体注入口（１５）が設けられ、本考案を使用しない時、該気体注入口（１５）を介して空気を押し出すことにより、該位置決めリング（１１）の体積を縮減することができる。
【００１４】
図３に示すように、本考案に係るＧボール運動具セットを設置する際、該Ｇボール（１０）を位置決めリング（１１）の内側に置き込むことにより、Ｇボール（１０）が所定の箇所で動かなくなる。
【００１５】
図４及び図５に示すように、本考案に係るＧボール運動具セットを使用する際、従来の構造と等しいため、詳細な使用方法を省略する。又、本考案に係るＧボール運動具セットの位置決めリング（１１）の外側における対向する位置に一体形成に掛止リング（１２）が設けられ、該掛止リング（１２）に伸縮性を有する引張部材（１３）が設けられ、使用者は手で該引張部材（１３）を引っ張ることにより、肩部や腕部の筋肉を伸ばして運動することができる。
【産業上の利用可能性】
【００１６】
本考案は上記の構成を有し、断面形状が多辺形である位置決めリングを有することにより、該位置決めリングと地面の接触状態は面接触となるので、該位置決めリングに置き込むＧボールを使用する際、優れた安定効果を得ることができる。
【図面の簡単な説明】
【００１７】
【図１】本考案に係るＧボール運動具セットの分解斜視図である。
【図２】本考案に係るＧボール運動具セットの斜視図である。
【図３】本考案に係るＧボール運動具セットの断面図である。
【図４】本考案に係るＧボール運動具セットの使用状態を示す斜視図である。
【図５】本考案に係るＧボール運動具セットの他の使用状態を示す斜視図である。
【図６】従来のＧボール運動具セットの断面図である。
【図７】従来のＧボール運動具セットに引張部材を設置する状態を示す断面図である
【符号の説明】
【００１８】
１０        Ｇボール
１１        位置決めリング
１２        掛止リング
１３        引張部材
１４        滑り止めリブ
１５        気体注入口
２０        Ｇボール
２１        位置決めリング
【図１】
0003127120.tif 000003
【図２】
0003127120.tif 000004
【図３】
0003127120.tif 000005
【図４】
0003127120.tif 000006
【図５】
0003127120.tif 000007
【図６】
0003127120.tif 000008
【図７】
0003127120.tif 000009
【手続補正書】
【提出日】平成18年9月21日(2006.9.21)
【手続補正１】
【補正対象書類名】実用新案登録請求の範囲
【補正対象項目名】請求項１
【補正方法】変更
【補正の内容】
【請求項１】
所定の弾性を有するＧボールと、内径が該Ｇボールの直径より小さい位置決めリングとを有するＧボール運動具セットであって、
該位置決めリングの縦方向断面形状が正六角形であると共に、該正六角形の各辺の連接箇所に滑り止めリブが設けられることを特徴とするＧボール運動具セット。
【手続補正２】
【補正対象書類名】明細書
【補正対象項目名】０００７
【補正方法】変更
【補正の内容】
【０００７】
本願の請求項１の考案は、所定の弾性を有するＧボールと、内径が該Ｇボールの直径より小さい位置決めリングとを有するＧボール運動具セットであって、該位置決めリングの縦方向断面形状が正六角形であると共に、該正六角形の各辺の連接箇所に滑り止めリブが設けられることを特徴とするＧボール運動具セット、を提供する。
【手続補正３】
【補正対象書類名】明細書
【補正対象項目名】０００９
【補正方法】変更
【補正の内容】
【０００９】
本考案は上記の課題を解決するものであり、位置決めリングの縦方向断面形状が正六角形であることにより、該位置決めリングと地面の接触状態が面接触となるので、該位置決めリングに置き込むＧボールを使用する際、優れた安定効果を得ることができる。
【手続補正４】
【補正対象書類名】明細書
【補正対象項目名】００１１
【補正方法】変更
【補正の内容】
【００１１】
図１は本考案に係るＧボール運動具セットの分解斜視図であり、図２は本考案に係るＧボール運動具セットの斜視図であり、図３は本考案に係るＧボール運動具セットの縦方向断面図であり、図４は本考案に係るＧボール運動具セットの使用状態を示す斜視図であり、図５は本考案に係るＧボール運動具セットの他の使用状態を示す斜視図である。
【手続補正５】
【補正対象書類名】明細書
【補正対象項目名】００１２
【補正方法】変更
【補正の内容】
【００１２】
図１乃至図３に示すように、本考案に係るＧボール運動具セットは、所定の弾性を有するＧボール（１０）と、内径が該Ｇボール（１０）の直径より小さい位置決めリング（１１）とを有し、該位置決めリング（１１）の縦方向断面形状は正六角形であると共に、該正六角形の各辺の連接箇所に滑り止めリブ（１４）が設けられる。
【手続補正６】
【補正対象書類名】明細書
【補正対象項目名】００１６
【補正方法】変更
【補正の内容】
【００１６】
本考案は上記の構成を有し、縦方向断面形状が多辺形である位置決めリングを有することにより、該位置決めリングと地面の接触状態は面接触となるので、該位置決めリングに置き込むＧボールを使用する際、優れた安定効果を得ることができる。
【手続補正７】
【補正対象書類名】明細書
【補正対象項目名】００１７
【補正方法】変更
【補正の内容】
【００１７】
【図１】本考案に係るＧボール運動具セットの分解斜視図である。
【図２】本考案に係るＧボール運動具セットの斜視図である。
【図３】本考案に係るＧボール運動具セットの縦方向断面図である。
【図４】本考案に係るＧボール運動具セットの使用状態を示す斜視図である。
【図５】本考案に係るＧボール運動具セットの他の使用状態を示す斜視図である。
【図６】従来のＧボール運動具セットの断面図である。
【図７】従来のＧボール運動具セットに引張部材を設置する状態を示す断面図である。